(57)【要約】【課題】少ない操作で確実な時差修正を行うことのできる電子時計を提供する。【解決手段】操作ボタンが３秒間押下されると（Ｓ１０；ＹＥＳ）、秒針を逆転させて現在設定されている時差の位置へ早送りする（Ｓ１１）。秒針の停止後（Ｓ１２；ＹＥＳ）、秒針を時差表示位置に飛び飛びに移動させ、時差表示候補を連続表示させる（Ｓ１３）。この状態で操作ボタンが押下されると（Ｓ１４；ＹＥＳ）、秒針を停止させ、時針を秒針が示す時差を考慮した時刻の位置まで移動させる（Ｓ１６）。秒針が示す時差は時差設定値として記憶させ（Ｓ１７）、通常時刻表示モードに切り替え（Ｓ１８）、時差設定値に基づいた時差時刻表示を行う。【選択図】図３
2015184106.tif 000002
【特許請求の範囲】
【請求項１】
表示部と、
入力部と、
前記入力部での入力に応じて、時差修正処理を行う時差修正制御部と、
現在時刻に時差設定値を加算した時差時刻を前記表示部に表示させる時刻表示制御部と、を備え、
前記時差修正制御部は、
前記入力部での一度の入力に対して、複数の時差修正候補を前記表示部に連続表示させ、前記入力部での再度の入力があった場合には、前記時差設定値を、前記再度の入力があった際に表示されている前記時差修正候補の時差に修正する、
ことを特徴とする電子時計。
【請求項２】
前記表示部は、指針と、時刻表示目盛りとを備え、
前記時差修正制御部は、前記指針を前記時刻表示目盛りの位置に飛び飛びに移動させることにより前記時差修正候補を表示させる、
ことを特徴とする請求項１に記載の電子時計。
【請求項３】
前記表示部は、指針と、時刻表示目盛りとを備え、
前記時差修正制御部は、前記指針を連続的に移動させ、前記指針が前記時刻表示目盛りを指し示すことにより前記時差修正候補を表示させる、
ことを特徴とする請求項１に記載の電子時計。
【請求項４】
前記入力部における入力は、互いに態様の異なる第１入力と第２入力とを含み、
前記時差修正制御部は、前記第１入力の場合は、一度の入力に対して、前記複数の時差修正候補を前記表示部に連続表示させ、前記第２入力の場合は、一度の入力に対して、一つの前記時差修正候補を前記表示部に表示させる、
ことを特徴とする請求項１乃至請求項３のいずれか１項に記載の電子時計。
【請求項５】
現在時刻に時差設定値を加算した時差時刻を表示部に表示させ、
入力部の入力に応じて、時差修正処理を行い、
前記入力部での一度の入力に対して、複数の時差修正候補を前記表示部に連続表示させ、前記入力部での再度の入力があった場合には、前記時差設定値を、前記再度の入力があった際に表示されている前記時差修正候補の時差に修正する、
ことを特徴とする時差修正方法。
【発明の詳細な説明】
【技術分野】
【０００１】
本発明は、時差修正機能を備えた電子時計及び時差修正方法に関する。
【背景技術】
【０００２】
従来から、竜頭やスイッチ等を操作することにより、時差修正を行う機能を備えた電子時計が知られている。このような電子時計においては、例えば時差１時間を１秒に換算し、スイッチの操作回数に応じて秒針を０秒位置から１３秒位置の範囲、あるいは、０秒位置から４９秒位置の範囲で移動させ、時差設定値を決定する技術が提案されている（例えば、特許文献１）。
【先行技術文献】
【特許文献】
【０００３】
【特許文献１】特開２００６−１５３６５５号公報
【発明の概要】
【発明が解決しようとする課題】
【０００４】
しかしながら、特許文献１の方式では、例えば、時差を０時間から＋９時間に変更したい場合には、スイッチを９回押下しなければならない。したがって、時差が大きい場合ほど、スイッチの押下回数が増えることになる。
【０００５】
本発明は、上述した事情に鑑みてなされたものであり、少ない操作で確実な時差修正を行うことのできる電子時計を提供することを解決課題としている。
【課題を解決するための手段】
【０００６】
以上の課題を解決するため、本発明に係る電子時計は、表示部と、入力部と、前記入力部での入力に応じて、時差修正処理を行う時差修正制御部と、現在時刻に時差設定値を加算した時差時刻を前記表示部に表示させる時刻表示制御部とを備え、前記時差修正制御部は、前記入力部での一度の入力に対して、複数の時差修正候補を前記表示部に連続表示させ、前記入力部での再度の入力があった場合には、前記時差設定値を、前記再度の入力があった際に表示されている前記時差修正候補の時差に修正することを特徴とする。
【０００７】
本発明によれば、入力部での入力に応じて、時差修正制御部により時差修正処理が行われる。時差修正制御部は、入力部において一度の入力が行われると、当該一度の入力に対して、複数の時差修正候補を表示部に連続表示させる。そして、時差修正制御部は、入力部での再度の入力があった場合には、時差設定値を、前記再度の入力があった際に表示されている時差修正候補の時差に修正する。その結果、時刻表示制御部は、現在時刻に、修正された時差設定値を加算し、的確な時差時刻を表示部に表示させる。以上のように本発明においては、時差が大きい場合であっても、一度の入力によって、対象となる時差修正候補が表示されるので、利便性を向上させることができる。
【０００８】
上述した電子時計において、前記表示部は、指針と、時刻表示目盛りとを備え、前記時差修正制御部は、前記指針を前記時刻表示目盛りの位置に飛び飛びに移動させることにより前記時差修正候補を表示させるようにしてもよい。この場合には、時差修正候補をユーザに対して確実に認識させることができ、利便性を向上させることができる。
【０００９】
上述した電子時計において、前記表示部は、指針と、時刻表示目盛りとを備え、前記時差修正制御部は、前記指針を連続的に移動させ、前記指針が前記時刻表示目盛りを指し示すことにより前記時差修正候補を表示させるようにしてもよい。この場合においても、一度の入力によって、対象となる時差修正候補が表示されるので、利便性を向上させることができる。
【００１０】
上述した電子時計において、前記入力部における入力は、互いに態様の異なる第１入力と第２入力とを含み、前記時差修正制御部は、前記第１入力の場合は、一度の入力に対して、前記複数の時差修正候補を前記表示部に連続表示させ、前記第２入力の場合は、一度の入力に対して、一つの前記時差修正候補を前記表示部に表示させるようにしてもよい。この場合には、時差が大きい場合には、第１入力により、一度の入力に対して、対象となる時差修正候補を表示させることができ、時差が小さい場合には、第２入力により、一度の入力に対して、迅速に対象となる時差修正候補を表示させることができるので、利便性が向上する。
【００１１】
以上の課題を解決するため、本発明に係る時差修正方法によれば、現在時刻に時差設定値を加算した時差時刻を表示部に表示させ、入力部の入力に応じて、時差修正処理を行い、前記入力部での一度の入力に対して、複数の時差修正候補を前記表示部に連続表示させ、前記入力部での再度の入力があった場合には、前記時差設定値を、前記再度の入力があった際に表示されている前記時差修正候補の時差に修正することを特徴とする。
【図面の簡単な説明】
【００１２】
【図１】本発明の第１実施形態に係る電子時計の平面図である。
【図２】電子時計の回路構成を示すブロック図である。
【図３】電子時計の時差修正処理の動作を示すフローチャートである。
【図４】電子時計の時差修正処理の動作の具体例を示す図である。
【図５】電子時計の時差テーブルの例を示す図である。
【図６】本発明の第２実施形態に係る電子時計における時差修正処理の動作を示すフローチャートである。
【図７】電子時計の時差修正処理の動作の具体例を示す図である。
【図８】本発明の第３実施形態に係る電子時計における時差修正処理の動作を示すフローチャートである。
【図９】本発明の第４実施形態に係る電子時計における時差修正処理の動作を示すフローチャートである。
【図１０】本発明の変形例における時差表示位置を示す図である。
【図１１】本発明の変形例における時差テーブルの例を示す図である。
【図１２】本発明の変形例における都市名を用いた時差表示位置を示す図である。
【発明を実施するための形態】
【００１３】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
＜第１実施形態＞
＜Ａ：電子時計の概要＞
まず、図１乃至図７を参照しつつ本発明の第１実施形態について説明する。図１に、本発明の第１実施形態における電子時計１００を示す。電子時計１００は、ソーラーパネルで発電した電力により駆動され、標準電波を受信することにより時刻修正を行うソーラー駆動の電波修正時計である。
電子時計１００は、外装ケース８０を備えている。外装ケース８０は、金属で形成された円筒状のケース胴８１に、セラミックまたは金属で形成されたベゼル８２が嵌合されて構成されている。なお、本実施形態では、外装ケースを２部品で構成したが、１部品で構成するようにしてもよい。
【００１５】
ベゼル８２の内周側に、プラスチックで形成されたリング状のダイヤルリング８３を介して、円盤状の文字板１１が時刻表示部分として配置され、この文字板１１上には、時刻や日付等を表示する指針１３が配置されている。指針１３は、時針１３ａと、分針１３ｂと、秒針１３ｃとから構成される。文字板１１には日付視認窓１４ａが開口形成されており、日車１４に表示された日付が日付視認窓１４ａから視認可能となっている。
外装ケース８０の表面側の開口は、ベゼル８２を介してカバーガラス８４で塞がれており、カバーガラス８４を通じて、内部の文字板１１、指針１３（時針１３ａ、分針１３ｂ、秒針１３ｃ）が視認可能となっている。
【００１６】
電子時計１００は、竜頭１６を手動操作することにより、手動の時刻修正が可能であり、また、操作ボタン１７を手動操作することにより、通常時刻表示モードと時差修正モードとを切り替えることが可能に構成されている。時差修正モードの詳細については後述する。なお、本実施形態の電子時計１００は、毎日、自動的に標準電波を受信して、時刻を修正する時刻修正機能を有している。操作ボタン１７を手動操作することにより、標準電波を強制的に受信させることも可能となっている。
【００１７】
＜Ｂ：電子時計の回路構成＞
図２に、電子時計１００の回路構成を示す。図２に示すように、電子時計１００の回路は、基準パルス生成部２００と、時刻カウンタ２１０と、受信部３００と、中央制御部４００と、針位置カウンタ６００と、駆動回路部６００とを備えている。
基準パルス生成部２００は、水晶振動子を発振させて基準振動を得る発振回路２０１と、発振回路２０１からの基準振動を分周してクロックパルス及び早送りパルス等を生成する分周回路２０２とを備える。
時刻カウンタ２１０は、分周回路２０２からのクロックパルスに基づいて現時刻（基準時刻）をカウントする。時刻カウンタ２１０は、時間のうち秒情報をカウントする秒カウンタ（図示せず）と、時分情報をカウントする時分カウンタ（図示せず）と、日情報をカウントする日カウンタ（図示せず）とを備えている。
【００１８】
受信部３００は、電波を受けるアンテナ３０１と、アンテナ３０１で受けた電波の信号を処理する受信回路３０２と、受信回路３０２からの情報を処理する受信情報処理部３０３とを備えて構成されている。受信回路３０２は、図示しない増幅回路、バンドパスフィルタ、復調回路、ＡＧＣ（Automatic Gain Control）回路、デコード回路を備える。受信回路３０２で受信されて信号処理された時刻情報は受信情報処理部３０３に出力される。
【００１９】
受信情報処理部３０３は、受信した標準電波の種類を特定してこの標準電波の発信地域を認識するとともにその標準電波のタイムコードフォーマットに従って時刻情報を読み出す。また、受信情報処理部３０３は、受信した時刻情報を一旦記憶するとともに、連続して受信した時刻情報が所定時間差（１分差）になっているか否かで受信の成否を判断して、受信に成功している場合には時刻カウンタ２１０の現時刻情報を受信した時刻情報に基づいて修正する。なお、受信回路３０２は、予め設定されたスケジュール（自動受信時刻）もしくは操作ボタン１７による強制受信操作によって時刻情報の受信を開始する。
【００２０】
中央制御部４００は、指針１３による時刻表示動作を制御する時刻表示制御部４１０と、時差設定動作を制御する時差修正制御部４２０と、受信部３００の受信動作を制御する受信タイミング制御部４３０と、を備えている。
時刻表示制御部４１０は、時刻カウンタ２１０でカウントされる現時刻を指針１３により表示させ、また、後述する時差修正が行われた場合には、時刻カウンタ２１０でカウントされる現時刻に、時差設定値記憶部４２２に記憶された時差設定量を加算した時差時刻を指針１３により表示させる。即ち、時刻表示制御部４１０は、現在時刻に時差設定値を加算した時差時刻を表示部に表示させる時刻表示制御部として機能する。
時刻表示制御部４１０から出力される制御信号が、駆動回路部５００に出力されると同時に同じ制御信号が針位置カウンタ６００に出力される。
【００２１】
時差修正制御部４２０は、時差修正モードにおける動作処理を行う時差修正モード処理部４２１と、時差修正の結果として設定された時差設定値または初期設定の時差設定値を記憶する時差設定値記憶部４２２と、複数の地域について時差を記録した時差テーブル４２３とを備える。
時差修正モード処理部４２１は、操作ボタン１７が所定時間押下されると、時刻表示制御部４１０による時刻表示動作を停止させ、通常時刻表示モードから時差修正モードへの切り替えを行う。即ち、操作ボタン１７は入力部として機能し、時差修正モード処理部４２１は、入力部での入力に応じて、時差修正処理を行う時差修正制御部として機能する。
時差修正モードに移行した状態において、時差修正モード処理部４２１は、時差表示位置まで秒針１３ｃを駆動させる制御信号を駆動回路部５００および針位置カウンタ６００に出力して秒針１３ｃの駆動制御を行い時差の表示を制御する。詳しくは後述する。
時差設定値記憶部４２２は、時差修正の結果として設定された時差設定値または初期設定の時差設定値を記憶し、記憶した時差設定値を時差修正モード処理部４２１及び時刻表示制御部４１０に出力する。時差設定値記憶部４２２は、時差の設定が１時間単位で行われる場合には、一例として、１時間単位のカウンタで構成することができる。
時差テーブル４２３には、例えば図５に示すように、時差表示位置と時差とが一対一で記憶されている。図５の例では、時差表示位置は、時差１時間を３秒または２秒に換算して０秒位置から時計回りに運針した位置であり、０秒位置から３２秒位置までがプラスの時差を表し、３３秒位置から５８秒位置まではマイナスの時差を表している。例えば、＋２時間の時差であれば、秒針１３ｃは５秒位置に運針され、−２時間の時差であれば、５５秒の位置へ運針される。
【００２２】
受信タイミング制御部４３０は、受信部３００で標準電波の受信を開始する自動受信開始時刻を記憶しており、時刻が自動受信開始時刻に到達したところで、受信回路３０２を起動させて標準電波の受信を開始させる。自動受信時刻としては、毎日午前２時と午前４時に設定されることが例として挙げられる。また、受信タイミング制御部４３０は、操作ボタン１７の押下によって入力される強制受信開始の指令に応じて受信回路３０２による標準電波の受信を開始させる。
【００２３】
駆動回路部５００は、秒針１３ｃを駆動させる秒針駆動回路５１０及び秒針駆動モータ５１１と、時針１３ａ及び分針１３ｂを駆動させる時分針駆動回路５２０及び時分針駆動モータ５２１と、日車１４を駆動させる日車駆動回路５３０及び日車駆動モータ５３１と、を備えている。
駆動回路部５００は、中央制御部４００から出力される制御信号に応じた駆動パルスを各駆動回路５１０、５２０、５３０から各駆動モータ５１１、５２１、５３１へ出力して時針１３ａ、分針１３ｂ、秒針１３ｃ、及び日車１４を駆動する。
【００２４】
針位置カウンタ６００は、秒針１３ｃの位置をカウントして記憶する秒針位置カウンタ６１０と、時針１３ａ及び分針１３ｂの位置をカウントして記憶する時分針位置カウンタ６２０と、日車１４の回転量をカウントして記憶する日車カウンタ６３０とを備える。
中央制御部４００から駆動回路部５００に向けて時針１３ａ、分針１３ｂ、秒針１３ｃ、及び日車１４を駆動する制御信号が出力される際には、この制御信号が針位置カウンタ６００にも同時に出力される。針位置カウンタ６００は、この制御信号に基づいて各カウンタ６１０、６２０、６３０をカウントアップして時針１３ａ、分針１３ｂ、秒針１３ｃ、及び日車１４の回転量を記憶する。
【００２５】
初期設定において針位置カウンタ６００のカウント値を時針１３ａ、分針１３ｂ、秒針１３ｃ、及び日車１４の位置に一致させておいて、以後、中央制御部４００からの制御信号が駆動回路部５００に出力されるたびに針位置カウンタ６００がカウントアップすることにより、時針１３ａ、分針１３ｂ、秒針１３ｃ、及び日車１４の位置と針位置カウンタ６００のカウント値の一致が図られる。
【００２６】
＜Ｃ：時差修正モード＞
このような構成を備える電子時計１００の時差修正モード時の動作について、図３のフローチャート、図４の具体的動作例、及び図５の時差テーブルを参照して説明する。
まず、通常の時刻表示制御が時刻表示制御部４１０によって行われ、時針１３ａ、分針１３ｂ、及び秒針１３ｃによって時刻が表示されている際に、時差修正モード処理部４２１は、操作ボタン１７が３秒間押下されたかどうかを判断する（ステップＳ１０）。この判断は、例えば割込みにより、所定の時間間隔で繰り返し行われる。本実施形態においては、一例として、操作ボタン１７が３秒間押下された場合に動作モードが時差修正モードに切り替えられるように構成されている。但し、時差修正モードに切り替えるかどうかの判断の基準となる操作ボタン１７の押下時間は、３秒間に限定される訳ではなく、適宜変更可能である。
【００２７】
時差修正モード処理部４２１は、操作ボタン１７が３秒間押下されていないと判断した場合には（ステップＳ１０；ＮＯ）、時差修正モードの処理を行わない。しかし、時差修正モード処理部４２１は、操作ボタン１７が３秒間押下されたと判断した場合には（ステップＳ１０；ＹＥＳ）、動作モードを時差修正モードに切り替える。即ち、時差修正モード処理部４２１は、時刻表示制御部４１０による時刻表示を停止させ、秒針１３ｃを逆転させると共に、現在設定されている時差の表示位置に秒針１３ｃを早送りで移動させる（ステップＳ１１）。時差修正モード処理部４２１は、時差設定値記憶部４２２に記憶されている時差設定値を読み出し、さらに、時差テーブル４２３を参照して、現在設定されている時差の表示位置を取得する。
【００２８】
例えば、図４（Ａ）に示すように、時差修正モードへの切り替え時における秒針１３ｃの位置が５５秒の位置であったとすると、時差修正モード処理部４２１は、秒針１３ｃを矢印Ｒ方向に逆転させ、現在設定されている時差の表示位置に秒針１３ｃを早送りで移動させる。一例として、現在設定されている時差が０時間で、時差０時間の表示位置が０秒位置であったとすると、秒針１３ｃは図４（Ｂ）に示すように、０秒位置で停止する。したがって、ユーザは、秒針１３ｃの停止位置を確認することにより、現在設定されている時差を知ることができる。
【００２９】
時差修正モード処理部４２１は、秒針１３ｃが停止したかどうかを判断し（ステップＳ１２）、秒針１３ｃが停止していないと判断した場合には（ステップＳ１２；ＮＯ）、上述した秒針１３ｃの現在の時差位置への移動処理を継続して実行する。しかし、時差修正モード処理部４２１は、秒針１３ｃが停止したと判断した場合には（ステップＳ１２；ＹＥＳ）、秒針１３ｃを時差表示位置に飛び飛びに移動（ステップ運針）させながら、時差修正候補を連続表示させる（ステップＳ１３）。例えば、図４（Ｂ）に示すように、秒針１３ｃが０秒位置に停止した場合には、図４（Ｃ）に示すように、３秒位置、５秒位置、８秒位置、１０秒位置、１３秒位置、１５秒位置のように、秒針１３ｃを時差表示位置に飛び飛びに移動させ、時差＋１時間、時差＋２時間、時差＋３時間、時差＋４時間、＋５時間、＋６時間と時差修正候補を連続表示させる。この例では、時差表示位置は、時差１時間を３秒または２秒に換算して０秒位置から時計回りに運針した位置であり、プラスの時差であれば秒針１３ｃを０秒位置から３２秒位置まで時計回りに時差分だけ運針した位置であり、マイナスの時差であれば秒針１３ｃを３５秒位置から５８秒位置まで時計回りに時差分だけ運針した位置である。時差と時差表示位置との関係は、時差テーブル４２３に記憶されている。
秒針１３ｃを飛び飛びに移動させる間隔、つまり、秒針１３ｃを時差表示位置に停止させる時間は、１秒、２秒等、適宜設定することができる。例えば、秒針１３ｃを飛び飛びに移動させる間隔を１秒に設定し、秒針１３ｃを時差表示位置に停止させる時間を１秒に設定した場合には、図４（Ｃ）の例では、秒針１３ｃを０秒位置からスタートさせ、１秒後に秒針１３ｃを３秒位置まで移動させ、秒針１３ｃを３秒位置で１秒間停止させた後に秒針１３ｃを５秒位置まで移動させ、秒針１３ｃを５秒位置で１秒間停止させる。次に、秒針１３ｃを８秒位置まで移動させ、秒針１３ｃを８秒位置で１秒間停止させる。次に、秒針１３ｃを１０秒位置まで移動させ、秒針１３ｃを１０秒位置で１秒間停止させる。次に、秒針１３ｃを１３秒位置まで移動させ、秒針１３ｃを１３秒位置で１秒間停止させる。そして、秒針１３ｃを１５秒位置まで移動させる。以下、同様の動作を時差＋１３時間に対応する３２秒位置に移動するまで継続する。０秒位置から３２秒位置まではプラスの時差を表している。秒針１３ｃを時差＋１３時間に対応する３２秒位置に移動させ、秒針１３ｃを３２秒位置で１秒間停止させた後は、秒針１３ｃを３３秒位置まで移動させ、秒針１３ｃを３３秒位置で１秒間停止させる。３３秒位置から５８秒位置まではマイナスの時差を表している。次に、秒針１３ｃを３５秒位置まで移動させ、３５秒位置で１秒間停止させる。次に、秒針１３ｃを３８秒位置まで移動させ、３８秒位置で１秒間停止させる。以下、同様の動作を、時差−１１時間に対応する５８秒位置に移動するまで継続する。
【００３０】
時差修正モード処理部４２１は、以上のように秒針１３ｃを時差表示位置に飛び飛びに移動させながら、操作ボタン１７が押下されたかどうかの判断を行う（ステップＳ１４）。本実施形態では、秒針１３ｃの時差表示位置への連続移動中に操作ボタン１７を押下することにより、時差設定値をユーザが希望する時差に修正することが可能になっているためである。
時差修正モード処理部４２１は、操作ボタン１７が押下されない場合には（ステップＳ１４；ＮＯ）、秒針１３ｃが全ての時差表示位置に移動したかどうかを判断する（ステップＳ１５）。
秒針１３ｃの時差表示位置への連続移動中に操作ボタン１７が押下されず（ステップＳ１４；ＮＯ）、秒針１３ｃが全ての時差表示位置に移動した場合には（ステップＳ１５；ＹＥＳ）、時差修正モード処理部４２１は、時刻表示制御部４１０に通常の時刻表示を開始させ、通常時刻表示モードに切り替える（ステップＳ１８）。
【００３１】
時差修正モード処理部４２１は、秒針１３ｃの時差表示位置への連続移動中に操作ボタン１７が押下されたと判断した場合には（ステップＳ１４；ＹＥＳ）、秒針１３ｃを停止させ、さらに、秒針１３ｃが示す時差表示位置に時針１３ａを移動させる（ステップＳ１６）。図４（Ｄ）は、秒針１３ｃが１８秒位置から２０秒位置に移動した際に操作ボタン１７が押下された例を示している。この場合には、図４（Ｅ）に示すように、秒針１３ｃを２０秒位置で停止させ、時針１３ａを２０秒位置（４時位置）に移動させる。
【００３２】
時差修正モード処理部４２１は、秒針１３ｃを停止させた時差表示位置から、時差を読み取り、時差設定値記憶部４２２に時差設定値として記憶させる（ステップＳ１７）。その後、時差修正モード処理部４２１は、時刻表示制御部４１０に通常の時刻表示を開始させ、通常時刻表示モードに切り替える（ステップＳ１８）。
以上のように、秒針１３ｃと文字板１１は表示部として機能し、時差修正モード処理部４２１は、入力部での一度の入力に対して、複数の時差修正候補を表示部に連続表示させ、入力部での再度の入力があった場合には、時差設定値を、前記再度の入力があった際に表示されている時差修正候補の時差に修正する時差修正制御部として機能することになる。
【００３３】
このような構成を備える第１実施形態によれば、操作ボタン１７を３秒間押下することにより動作モードが時差修正モードに切り替わり、その後は操作ボタン１７を押下することなく、秒針１３ｃが時差表示位置に飛び飛びに移動して、時差修正候補を連続表示するので、希望する時差が現在設定されている時差よりも大きい場合でも、多数回に亘って操作ボタン１７を押下することなく、希望する時差を設定することができる。したがって、時差修正操作の利便性を向上させることができる。また、秒針１３ｃを各時差表示位置で所定時間停止させることとしたので、ユーザは表示されている時差を確実に認識することができ、希望する時差を確実に設定することができる。
【００３４】
＜第２実施形態＞
本発明の第２実施形態について図６及び図７を参照して説明する。第１実施形態においては、時差修正モードで秒針１３ｃを時差表示位置に飛び飛びに移動（ステップ運針）させ、時差修正候補を連続表示させる場合について説明した。しかし、本実施形態では、秒針１３ｃを連続的に移動（スイープ運針）させることにより、時差修正候補を連続表示させるところが第１実施形態と異なる。
【００３５】
図６に本実施形態の時差修正モードの動作のフローチャートを示す。図６において、第１実施形態と同じ処理については同じステップ番号を付してある。本実施形態においては、図３に示すステップＳ１３の処理の代わりに、ステップＳ２０の処理を行う。
時差修正モード処理部４２１は、秒針１３ｃが停止したと判断した場合には（ステップＳ１２；ＹＥＳ）、秒針１３ｃを連続的に移動させ、時差表示候補を連続表示させる（ステップＳ２０）。
【００３６】
例えば、図７（Ａ）に示すように、秒針１３ｃが逆転して反時計回りに現在設定されている時差の位置まで移動を開始し、図７（Ｂ）に示すように、秒針１３ｃが０秒位置に停止したとする。その後は、図７（Ｃ）に示すように、秒針１３ｃを連続的に移動（スイープ運針）させる。
【００３７】
この場合には、図７（Ｄ）に点線で示すように、秒針１３ｃが時差表示位置に到達する前、あるいは、時差表示位置を過ぎた時に操作ボタン１７が押下される可能性がある。この場合には、ステップＳ１４で操作ボタン１７が押下されたと判断した際に、秒針１３ｃの位置から近い方の時差表示位置に秒針１３ｃを強制的に移動させて停止させればよい（ステップＳ１６）。その後、第１実施形態と同様に、時針１３ａを時差表示位置に移動させる（ステップＳ１６）。その他の処理について説明を省略するが、第１実施形態と同様と同様である。
【００３８】
本実施形態においても、操作ボタン１７を３秒間押下することにより動作モードが時差修正モードに切り替わり、その後は操作ボタン１７を押下することなく、秒針１３ｃが時差表示位置に滑らかに連続移動するので、希望する時差が現在設定されている時差よりも大きい場合でも、多数回に亘って操作ボタン１７を押下しなくても、希望する時差を設定することができるので、時差修正操作の容易化を図ることができる。
【００３９】
＜第３実施形態＞
本発明の第３実施形態について図８を参照して説明する。第１実施形態においては、時差修正モードに移行し、秒針１３ｃが現在設定されている時差の位置に停止した後、秒針１３ｃを時差表示位置に飛び飛びに移動させ、時差修正候補を連続表示させる場合について説明した。本実施形態では、時差修正モードに移行し、秒針１３ｃが現在設定されている時差の位置に停止した後、さらに操作ボタン１７の押下を受け付け、押下時間の長さに応じて２種類の時差修正動作を行うところが第１実施形態と異なる。
【００４０】
図８に本実施形態の時差修正モードのフローチャートを示す。図８において、第１実施形態と同じ処理については同じステップ番号を付してある。本実施形態においては、図３に示すフローチャートに比べて、ステップＳ３０からステップＳ３５までの処理が追加されている。
図８に示すように、時差修正モード処理部４２１は、動作モードを時差修正モードに切り替え、秒針１３ｃが現在設定されている時差の位置に停止したと判断した場合には（ステップＳ１２；ＹＥＳ）、改めて操作ボタン１７が押下されるかどうかを判断する（ステップＳ３０）。この状態で操作ボタン１７が押下されず（ステップＳ３０；ＮＯ）、１分が経過した場合には（ステップＳ３１；ＹＥＳ）、時差修正モード処理部４２１は、時刻表示制御部４１０に通常の時刻表示を開始させ、通常時刻表示モードに切り替える（ステップＳ１８）。
【００４１】
しかし、時差修正モード処理部４２１は、操作ボタン１７が押下された場合には（ステップＳ３０；ＹＥＳ）、押下時間が３秒以上かどうかを判断する（ステップＳ３２）。時差修正モード処理部４２１は、押下時間が３秒に満たないと判断した場合には（ステップＳ３２；ＮＯ）、秒針１３ｃを時差＋１時間分、つまり、次の時差表示位置まで移動させる（ステップＳ３３）。例えば、秒針１３ｃが０秒位置で停止している場合には、秒針１３ｃを時計回りで３秒位置まで移動させる。なお、マイナスの時差については、秒針１３ｃを時差＋１時間ずつ移動させ、時差＋１３時間に対応する３２秒位置まで移動させた後に、さらに時計回りに時差−１１時間に対応する３３秒位置に移動させ、その後は操作ボタン１７が押下される度に時差−１時間ずつ移動させるようにしてもよい。あるいは、竜頭１６と操作ボタン１７が同時に押下された場合には、最初から時差−１１時間に対応する３３秒位置に移動させるようにしてもよい。
【００４２】
時差修正モード処理部４２１は、秒針１３ｃを時差＋１時間分、あるいは時差−１時間分移動させた後、１分が経過したかどうかを判断する（ステップＳ３４）。時差修正モード処理部４２１は、１分経過していないと判断した場合には（ステップＳ３４；ＮＯ）、再び操作ボタン１７が押下されたかどうかを判断する（ステップＳ３５）。時差修正モード処理部４２１は、再び操作ボタン１７が押下され（ステップＳ３５；ＹＥＳ）、押下時間が３秒未満である場合には（ステップＳ３２；ＮＯ）、秒針１３ｃを時差＋１時間分、あるいは時差−１時間分移動させる（ステップＳ３３）。このように、本実施形態においては、秒針１３ｃが現在設定されている時差の位置で停止した後に、３秒未満の操作ボタン１７の押下があった場合には、操作ボタン１７が１回押下される毎に秒針１３ｃを１時差分移動させる従来の時差修正動作が可能になっている。
【００４３】
時差修正モード処理部４２１は、秒針１３ｃを１時差分移動させた後に、１分が経過したと判断した場合には（ステップＳ３４；ＹＥＳ）、秒針１３ｃを移動させた時差表示位置から時差を読み取り、時差設定値記憶部４２２に時差設定値として記憶させる（ステップＳ１７）。その後、時差修正モード処理部４２１は、時刻表示制御部４１０に通常の時刻表示を開始させ、通常時刻表示モードに切り替える（ステップＳ１８）。
【００４４】
しかし、時差修正モード処理部４２１は、秒針１３ｃが現在設定されている時差の位置に停止した後に操作ボタン１７が３秒以上押下されたと判断した場合（ステップＳ１２；ＹＥＳ、ステップＳ３０；ＹＥＳ、ステップＳ３２；ＹＥＳ）、あるいは、秒針１３ｃを１時差分移動させた後に、操作ボタン１７が３秒以上押下されたと判断した場合（ステップＳ３４；ＮＯ、ステップＳ３５；ＹＥＳ、ステップＳ３２；ＹＥＳ）には、第１実施形態と同様に、秒針１３ｃを各時差表示位置に飛び飛びに移動させながら、時差修正候補を連続表示させる（ステップＳ１３）。これ以降の処理は第１実施形態と同じなので説明を省略する。
【００４５】
以上のように、本実施形態は、操作ボタン１７の押下時間の長さに応じて、操作ボタン１７が１回押下される毎に秒針１３ｃを１時差分だけ移動させる時差修正動作と、操作ボタン１７が３秒以上押下された際に秒針１３ｃを各時差表示位置に飛び飛びに移動させながら、時差修正候補を連続表示させる時差修正動作との２種類の時差修正動作が可能である。したがって、本実施形態によれば、時差が小さい場合には、操作ボタン１７が１回押下される毎に秒針１３ｃを１時差分だけ移動させる時差修正動作を選択し、時差が大きい場合には秒針１３ｃを飛び飛びに移動させる時差修正動作を選択する等の使い方が可能であり、利便性が向上する。
【００４６】
＜第４実施形態＞
本発明の第４実施形態について図９を参照して説明する。第３実施形態においては、操作ボタン１７が１回押下される毎に秒針１３ｃを１時差分だけ移動させる時差修正動作と、操作ボタン１７が３秒以上押下された際に秒針１３ｃを各時差表示位置に所定時間停止させながら、連続移動させる時差修正動作との２種類の時差修正動作を可能とした場合について説明した。本実施形態は、操作ボタン１７が１回押下される毎に秒針１３ｃを１時差分だけ移動させる時差修正動作と、操作ボタン１７が３秒以上押下された際に秒針１３ｃを各時差表示位置に所定時間停止させることなく、滑らかに連続移動させる時差修正動作との２種類の時差修正動作を可能としたところが第３実施形態と異なる。
【００４７】
図９に本実施形態の時差修正モードのフローチャートを示す。図９において、第３実施形態及び第２実施形態と同じ処理については同じステップ番号を付してある。本実施形態においては、図８に示すフローチャートに比べて、ステップＳ１３がステップＳ２０に置き換えられている。ステップＳ２０は、図６に示す第２実施形態における連続移動動作と同じ処理である。
【００４８】
したがって、時差修正モード処理部４２１は、秒針１３ｃが現在設定されている時差の位置に停止した後に操作ボタン１７が３秒以上押下されたと判断した場合（ステップＳ１２；ＹＥＳ、ステップＳ３０；ＹＥＳ、ステップＳ３２；ＹＥＳ）、あるいは、秒針１３ｃを１時差分移動させた後に、操作ボタン１７が３秒以上押下されたと判断した場合（ステップＳ３４；ＮＯ、ステップＳ３５；ＹＥＳ、ステップＳ３２；ＹＥＳ）には、第２実施形態と同様に、秒針１３ｃを連続的に移動させ、時差修正候補を連続表示させる（ステップＳ２０）。これ以降の処理は第２実施形態及び第３実施形態と同じなので説明を省略する。
【００４９】
以上のように、本実施形態は、操作ボタン１７の押下時間の長さに応じて、操作ボタン１７が１回押下される毎に秒針１３ｃを１時差分だけ移動させる時差修正動作と、操作ボタン１７が３秒以上押下された際に秒針１３ｃを連続的に移動させ、時差修正候補を連続表示させる時差修正動作との２種類の時差修正動作が可能である。したがって、本実施形態によれば、時差が小さい場合には、操作ボタン１７が１回押下される毎に秒針１３ｃを１時差分だけ移動させる時差修正動作を選択し、時差が大きい場合には秒針１３ｃを連続的に移動させる時差修正動作を選択する等の使い方が可能であり、利便性が向上する。
【００５０】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００５１】
（変形例１）
上述した各実施形態においては、時差表示位置は、時差１時間を３秒または２秒に換算して０秒位置から時計回りに運針した位置とした。しかしながら、本発明はこのような例に限定されるものではなく、例えば、図１０に示すように、時差１時間を１秒に換算して、プラス時差については、０秒位置から１３秒位置まで運針した位置を時差表示位置と、マイナス時差については、０秒位置から４９秒位置まで運針した位置を時差表示位置としてもよい。この場合は、時差テーブル４２３には一例として図１１に示す時差と時差表示位置の関係を記憶させておけばよい。また、この場合には、秒針１３ｃの連続動作の開始位置を、４９秒位置または１３秒位置としてもよい。さらに、時差表示位置は、これらの例に限定される訳ではなく、適宜設定可能である。
【００５２】
（変形例２）
上述した各実施形態及び変形例においては、時刻表示用の目盛りを時差表示位置とした。しかしながら、本発明はこのような例に限定されるものではなく、例えば、図１２に示すように、ベゼル８２に都市名９０を表示し、この都市名９０の表示を時差表示位置としてもよい。この場合には、時差テーブル４２３には、各都市名の位置に対応する時刻位置（例えば０秒位置、１５秒位置等）及び、各都市名と時差との関係を記憶させておけばよい。なお、都市名９０を表示させる部材は、ベゼル８２に限定される訳ではなく、文字板１１、カバーガラス８４、ダイヤルリング８３等に表示するようにしてもよい。
【００５３】
（変形例３）
上述した各実施形態及び各変形例においては、標準電波を受信する受信部を備えた電波修正時計を例にして説明したが、電波の受信機能を有していない電子時計であってもよい。また、本発明はアナログ式の電子時計に限定される訳ではなく、デジタル式の電子時計、クオーツウォッチ、置き時計、あるいは、掛け時計等に適用可能である。
【００５４】
（変形例４）
上述した各実施形態及び各変形例においては、時差設定としては、１時間単位で行うこととしたが、本発明はこのような例に限定される訳ではなく、例えば、３０分単位で設定可能としてもよい。
【００５５】
（変形例５）
上述した各実施形態及び各変形例においては、時差修正モードに移行した際に、秒針１３ｃは、時差設定値記憶部４２２に記憶されている時差設定値の位置に移動するとして説明したが、通常の時刻表示モードから時差修正モードに移行した際には、時差設定値記憶部４２２に記憶されている時差設定値がリセットされ、秒針１３ｃは常に０秒位置に移動するようにしてもよい。
【００５６】
（変形例６）
上述した各実施形態及び各変形例においては、時差修正モードにおいて、秒針１３ｃが時差表示位置を指す場合について説明したが、時針１３ａあるいは分針１３ｂで時差表示位置を指すようにしてもよい。または、秒針１３ｃ、時針１３ａ、分針１３ｂの適宜の組み合わせでもよい。さらには、日車１４に日付表示の他にマイナスの数字も印刷しておいてこの日車を利用してもよい。
【００５７】
上述した本発明の各機能は、例えば、ＣＰＵ（中央処理装置）、メモリ（記憶装置）等を備えたコンピュータに制御プログラムを組み込んで中央制御部４００の各制御部としての機能を実現させてもよく、このようにコンピュータを例えば時差修正モード処理部４２１、時差設定値記憶部４２２、あるいは時差テーブル４２３として機能させれば、各種の修正あるいは設定変更等を容易に行うことができる。なお、この制御プログラムは、インターネット等の通信手段や、ＣＤ−ＲＯＭ、メモリカード等の記録媒体を介してインストールされてもよい。
【符号の説明】
【００５８】
１１…文字板、１３…指針、１３ａ…時針，１３ｂ…分針，１３ｃ…秒針、１４…日車、１４ａ…日付視認窓、１６…竜頭、１７…操作ボタン、８０…外装ケース、８１…ケース胴、８２…ベゼル、８３…ダイヤルリング、８４…カバーガラス、９０…都市名、１００…電子時計、４００…中央制御部、４１０…時刻表示制御部、４２０…時差修正制御部、４２１…時差修正モード処理部、４２２…時差設定値記憶部、４２３…時差テーブル、５００…駆動回路部、５１０…秒針駆動回路、５１１…秒針駆動モータ、５２０…時分針駆動回路、５２１…時分針駆動モータ、５３０…日車駆動回路、５３１…日車駆動モータ、６００…駆動回路部、６００…針位置カウンタ、６１０…秒針位置カウンタ、６２０…時分針位置カウンタ、６３０…日車カウンタ。
【図１】
2015184106.tif 000003
【図２】
2015184106.tif 000004
【図３】
2015184106.tif 000005
【図４】
2015184106.tif 000006
【図５】
2015184106.tif 000007
【図６】
2015184106.tif 000008
【図７】
2015184106.tif 000009
【図８】
2015184106.tif 000010
【図９】
2015184106.tif 000011
【図１０】
2015184106.tif 000012
【図１１】
2015184106.tif 000013
【図１２】
2015184106.tif 000014